(57)【要約】【課題】高所作業を行うために設置した作業台をそのまま移動可能とする作業台用移動装置を提供する。【解決手段】作業台の脚体(4)を固定状態で支持する固定支持装置(9)と、前記固定支持装置に連結手段を介して連結された昇降支持装置(11)とから成り、前記昇降支持装置(11)は、前記連結手段に固定された固定体(29)と、該固定体に対して昇降可能に結合された昇降体(30)を備え、前記昇降体(30)の下端部にキャスター(31)を設けると共に、前記固定体と前記昇降体の相互に係脱自在なロック手段(32)を設けている。ロック手段(32)は、前記昇降体(30)の昇降位置に関して、前記キャスター(31)が脚体の下端(4E)よりも下方に突出する下降位置(L)と、前記キャスター(31)が脚体の下端(4E)よりも上方に格納される上昇位置(H)において、前記昇降体(30)を前記固定体(29)に昇降不能にロックするように構成されている。【選択図】図１１
2014095219.tif 000002
【特許請求の範囲】
【請求項１】
脚体により作業天板を高所に支持する作業台を移動可能とする装置であり、
前記脚体(4)を固定状態で支持する固定支持装置(9)と、前記固定支持装置に連結手段を介して連結された昇降支持装置(11)とから成り、
前記昇降支持装置(11)は、前記連結手段に固定された固定体(29)と、該固定体に対して昇降可能に結合された昇降体(30)を備え、
前記昇降体(30)の下端部にキャスター(31)を設けると共に、前記固定体と前記昇降体の相互に係脱自在なロック手段(32)を設けており、
前記ロック手段(32)は、前記昇降体(30)の昇降位置に関して、前記キャスター(31)が脚体の下端(4E)よりも下方に突出する下降位置(L)と、前記キャスター(31)が脚体の下端(4E)よりも上方に格納される上昇位置(H)において、前記昇降体(30)を前記固定体(29)に昇降不能にロックするように構成されて成ることを特徴とする作業台用移動装置。
【請求項２】
下向きに伸縮可能な伸縮脚を備えた脚体により作業天板を高所に支持する作業台を移動可能とする装置であり、
前記脚体(4)を固定状態で支持する固定支持装置(9)と、前記固定支持装置に連結手段を介して連結された昇降支持装置(11)とから成り、
前記昇降支持装置(11)は、前記連結手段に固定された固定体(29)と、該固定体に対して昇降可能に結合された昇降体(30)を備え、
前記昇降体(30)の下端部にキャスター(31)を設けると共に、前記固定体と前記昇降体の相互に係脱自在なロック手段(32)を設けており、
前記伸縮脚を最も収縮させた状態と伸長させた状態の何れにおいても、前記ロック手段(32)は、前記昇降体(30)の昇降位置に関して、前記キャスター(31)が脚体の下端(4E)よりも下方に突出する下降位置(L)と、前記キャスター(31)が脚体の下端(4E)よりも上方に格納される上昇位置(H)において、前記昇降体(30)を前記固定体(29)に昇降不能にロックするように構成されて成ることを特徴とする作業台用移動装置。
【請求項３】
前記昇降支持手段(11)は、前記固定体(29)を構成する筒部材(34)と前記昇降体(30)を構成するスライド支柱(36)の１組を左右に配置しており、
前記ロック手段(32)は、前記一対のスライド支柱(36,36)の相互に対向する側壁に列設したロック孔(44)と、前記一対の筒部材(34,34)の相互に対向する側壁に設けられると共に前記ロック孔(44)に挿脱自在に挿入されるロック用ロッド(45)により構成され、該ロック用ロッド(45)の尾端部をＬ形に折曲することにより摘み部(45b)を設けており、
前記一対の筒部材(34,34)に設けられたロック用ロッド(45,45)の摘み部(45b,45b)の相互間隔を片手で同時に引き寄せ可能な距離Ｓの範囲内に設定して成ることを特徴とする請求項１又は２に記載の作業台用移動装置。
【請求項４】
前記左右の筒部材(34,34)を横架材(35)により連結し、
前記ロック用ロッド(45)を前記横架材(35)の下側に配置して成ることを特徴とする請求項３に記載の作業台用移動装置。
【請求項５】
前記昇降体(30)は、下端部に固着板(37)を介して前記キャスター(31)を設け、前記固着板(37)とキャスター(31)を含んで錘手段(41)を構成することにより、自重で下降可能となるように前記固定体(29)にスライド自在に結合されて成ることを特徴とする請求項１、２、３又は４に記載の作業台用移動装置。
【請求項６】
前記作業台(2)の脚体(4)は、左右の脚柱(6,6)を相互に連結する複数本の踏み桟(7)を上下に間隔をあけて配置した梯子脚を構成し、
前記固定支持装置(9)は、前記踏み桟(7)の下面に添設可能な支持手段(24)と、前記左右の脚柱(6,6)を掴む一対の把持手段(16,16)を備えて成ることを特徴とする請求項１、２、３、４又は５に記載の作業台用移動装置。
【請求項７】
前記一対の把持手段(16,16)は、前記固定支持装置(9)に固設した保持部材(15)の両端から脚柱(6,6)に向けて伸縮自在に構成され、所定伸縮位置で、前記把持手段(16,16)を前記保持部材(15)に係脱自在に係止する係止手段(19)を設けて成ることを特徴とする請求項６に記載の作業台用移動装置。
【発明の詳細な説明】
【技術分野】
【０００１】
本発明は、高所作業を行うために設置した作業台をそのまま移動可能とする作業台用移動装置に関する。
【背景技術】
【０００２】
従来、建設現場の高所個所や、建築物の天井及び壁面等における種々の高所作業のため、作業台が使用されている。
【０００３】
作業台は、脚体により作業天板を高所に支持するように構成され、脚体を設置面（室外の場合は地面、室内の場合は床面）に設置した状態で使用され、不使用時には、脚体を作業天板の下側に折畳むことにより移動される。
【０００４】
また、広域作業を必要とする場合は、間隔をあけて複数の作業台を設置し、隣り合う作業台の作業天板の間に足場板を架設することにより、広い面積の作業床を形成した作業台ステージが構築される。
【０００５】
ところで、例えば、建築物の天井に対する照明器具や空調機の設置作業や、配線作業等においては、所定作業個所の高所作業が終わると、引き続き、次の作業個所に向けて高所作業を移行する必要がある。このような場合、その都度、脚体を折畳んで作業台を移動し、再び脚体を展開させて所望の次位置に作業台を設置することは、作業効率の低下を招来する。特に、前述のような作業台ステージの場合、足場板の分解による解体と、再架設による構築を要するため、作業効率の低下が顕著となる。更に、建築物の天井工事等の場合、床面に家具類その他の什器を設置したままの状態で高所作業を強いられるため、解体や再構築が至難となる。
【０００６】
このため、作業台ステージを構築し設置した状態で、そのまま床面上を移動可能とする装置が提案されている。
【先行技術文献】
【特許文献】
【０００７】
【特許文献１】特許第３９９３８４２号公報
【発明の概要】
【発明が解決しようとする課題】
【０００８】
特許文献１が提案する移動装置は、作業台における梯子脚の最下段の踏み桟を支承する下部受け部材と、上方の踏み桟を支承する上部受け部材を備え、前記下部受け部材及び上部受け部材を縦フレームに固設し、梯子脚の下端よりも下方に突出するキャスターを縦フレームの下端に設けている。
【０００９】
そこで、前記移動装置により作業台を移動する際は、移動装置の全体を傾斜姿勢とした状態で上部受け部材を上方の踏み桟の下側に潜り込ませて係止させた後、キャスターの転動を介して移動装置全体を傾斜姿勢から起立姿勢へと姿勢変更させ、梯子脚を押し上げながら、下部受け部材を最下段の踏み桟に係止させるものであると説明されている。
【００１０】
しかしながら、例えば、作業天板に工具や機材を放置している場合、作業台は相応の重量物となるので、作業者が一人で、前述のように移動装置全体の姿勢を変更させながら梯子脚を押し上げることは困難である。
【００１１】
しかも、キャスターを転動しながら移動装置の全体を傾斜姿勢から起立姿勢に向けて姿勢変更させている最中に、万一、作業者の手が離れると、作業台の降下により移動装置が跳ね飛ばされるおそれがあり、極めて危険である。
【００１２】
更に、移動装置を装着することにより、作業台はキャスターを介して移動自由となるが、移動装置を装着している限り、作業台が自由に動く危険があるから、高所作業を行う前に移動装置を取外さなければならない不便がある。
【課題を解決するための手段】
【００１３】
本発明は、上記のような問題を全て解決した作業台用移動装置を提供するものであり、その手段として構成したところは、脚体により作業天板を高所に支持する作業台を移動可能とする装置であり、前記脚体を固定状態で支持する固定支持装置と、前記固定支持装置に連結手段を介して連結された昇降支持装置とから成り、前記昇降支持装置は、前記連結手段に固定された固定体と、該固定体に対して昇降可能に結合された昇降体を備え、前記昇降体の下端部にキャスターを設けると共に、前記固定体と前記昇降体の相互に係脱自在なロック手段を設けており、前記ロック手段は、前記昇降体の昇降位置に関して、前記キャスターが脚体の下端よりも下方に突出する下降位置と、前記キャスターが脚体の下端よりも上方に格納される上昇位置において、前記昇降体を前記固定体に昇降不能にロックするように構成されて成る点にある。
【００１４】
また、本発明が好ましい手段として構成したところは、下向きに伸縮可能な伸縮脚を備えた脚体により作業天板を高所に支持する作業台を移動可能とする装置であり、前記脚体を固定状態で支持する固定支持装置と、前記固定支持装置に連結手段を介して連結された昇降支持装置とから成り、前記昇降支持装置は、前記連結手段に固定された固定体と、該固定体に対して昇降可能に結合された昇降体を備え、前記昇降体の下端部にキャスターを設けると共に、前記固定体と前記昇降体の相互に係脱自在なロック手段を設けており、前記伸縮脚を最も収縮させた状態と伸長させた状態の何れにおいても、前記ロック手段は、前記昇降体の昇降位置に関して、前記キャスターが脚体の下端よりも下方に突出する下降位置と、前記キャスターが脚体の下端よりも上方に格納される上昇位置において、前記昇降体を前記固定体に昇降不能にロックするように構成されて成る点にある。
【００１５】
本発明の好ましい実施形態において、前記昇降支持手段は、前記固定体を構成する筒部材と前記昇降体を構成するスライド支柱の１組を左右に配置しており、前記ロック手段は、前記一対のスライド支柱の相互に対向する側壁に列設したロック孔と、前記一対の筒部材の相互に対向する側壁に設けられると共に前記ロック孔に挿脱自在に挿入されるロック用ロッドにより構成され、該ロック用ロッドの尾端部をＬ形に折曲することにより摘み部を設けており、前記一対の筒部材に設けられたロック用ロッドの摘み部の相互間隔を片手で同時に引き寄せ可能な距離Ｓの範囲内に設定している。
【００１６】
この際、前記左右の筒部材を横架材(35)により連結し、前記ロック用ロッドを前記横架材の下側に配置することが好ましい。
【００１７】
前記昇降体は、下端部に固着板を介して前記キャスターを設け、前記固着板とキャスターを含んで錘手段を構成することにより、自重で下降可能となるように前記固定体にスライド自在に結合することが好ましい。
【００１８】
本発明の実施形態において、前記作業台の脚体は、左右の脚柱を相互に連結する複数本の踏み桟を上下に間隔をあけて配置した梯子脚を構成し、前記固定支持装置は、前記踏み桟の下面に添設可能な支持手段と、前記左右の脚柱を掴む一対の把持手段を備えている。
【００１９】
好ましくは、前記一対の把持手段は、前記固定支持装置に固設した保持部材の両端から脚柱に向けて伸縮自在に構成され、所定伸縮位置で、前記把持手段を前記保持部材に係脱自在に係止する係止手段を設けている。
【発明の効果】
【００２０】
請求項１に記載の本発明によれば、作業台２の脚体４を設置面ＧＬに設置したままの状態で、固定支持装置９を脚体４に固定支持させることができるので、移動装置８の装着作業が簡単容易であり、しかも、危険を伴うことはない。
【００２１】
そして、昇降支持装置１１は、前記固定支持装置９に固定された固定体２９と、下端部にキャスター３１を設けた昇降体３０により構成され、キャスター３１を脚体４の下端４Ｅよりも上方の上昇位置Ｈに格納した状態で、昇降体３０をロック手段３２によりロックできるので、脚体４に移動装置８を装着したままでも、作業台２による安全な高所作業が可能である。
【００２２】
ところで、作業台２を含む作業台ステージ１を移動する際は、前記ロック手段３２のロックを解除して、脚体４を持ち上げるだけで、キャスター３１が脚体４の下端４Ｅよりも下方に突出する下降位置Ｌに位置するように昇降体３０が下降するので、その状態で昇降体３０をロック手段３２によりロックするという簡単な作業で移動装置８を走行自在な状態とすることができ、作業台ステージ１の移動を可能にする。
【００２３】
しかも、移動作業の後は、前記ロック手段３２を解除するだけで、脚体４が下降して設置するので、昇降体３０を持ち上げ、再びキャスター３１を上昇位置Ｈに格納した状態で、ロック手段３２をロックすれば足り、速やかに高所作業を続行することができる。
【００２４】
請求項２に記載の本発明によれば、作業台２の伸縮脚６ａを最も収縮させた状態の脚体４に対して、昇降支持装置１１がキャスター３１を上昇位置Ｈに格納させた態様と下降位置Ｌに突出させた態様を可能としているので、移動装置８の装着作業を簡単かつ安全に行うことができる。即ち、通常、作業台ステージ１を構築する場合、作業台２の脚体４は伸縮脚６ａを最も収縮させた状態とされているので、構築直後の脚体４も伸縮脚６ａを最も収縮させている。そこで、本発明によれば、このような構築直後の作業台２に移動装置８を装着する際、キャスター３１を上昇位置Ｈに格納してロックした態様で簡単かつ安全に装着作業を行うことができ、装着後は、キャスター３１を下降位置Ｌに突出してロックすることにより、作業台ステージ１を所望の作業位置に移動できる利点がある。
【００２５】
請求項３に記載の本発明によれば、筒部材３４とスライド支柱３６の１組を左右に配置することにより作業台２の各脚体４を安定して支持可能とした構成において、ロック手段３２におけるロック用ロッド４５、４５の摘み部４５ｂ、４５ｂを片手で同時に引き寄せることにより、左右一対のスライド支柱３６、３６のロックを同時に解除し、同時に昇降させることができるので、左右のスライド支柱３６が昇降タイミングにズレを生じて筒部材３４に対し偏位するようなことはなく、スムースな昇降動作を可能にする。
【００２６】
請求項４に記載の本発明によれば、ロック用ロッド４５を横架材３５の下側に配置しているので、上方から降り落ちる異物がロック用ロッド４５に付着することを防止できる。
【００２７】
請求項５に記載の本発明によれば、錘手段４１により昇降体３０を自重で下降可能としているので、上述のようにキャスター３１を下降位置Ｌまで下降させる際、昇降体３０が自動的に下降し、作業性を向上する。
【００２８】
請求項６及び７に記載の本発明によれば、固定支持装置９は、脚体４における踏み桟７の下面に添設される支持手段２４と、脚柱６、６を掴む一対の把持手段１６、１６により構成されているので、昇降支持装置１１により脚体４を持ち上げて移動させる際、作業台２の荷重が前記踏み桟７を介して支持手段２４により好適に支持され、しかも、把持手段１６、１６が固定支持装置９を脚体４の前後左右に遊動しないように堅固に位置決めする。
【００２９】
特に、支持手段２４は、梯子脚を構成する脚体４の所定の踏み桟７に添設する構成とされているが、把持手段１６、１６は、踏み桟７ではなく脚柱６、６を把持する構成であるから、上下に延びる脚柱６、６の任意の個所を把持すれば足り、特定の限定位置に設ける必要はなく、固定支持装置９の設計及び製作が容易となる。しかも、把持手段１６を保持部材１５から脚柱６、６に向けて伸縮自在に構成しているので、一対の脚柱６、６の間隔寸法を相違する脚体４を備えた大小異なるサイズの作業台２に対応可能である。
【図面の簡単な説明】
【００３０】
【図１】作業台の１例としての作業台ステージを示す斜視図である。
【図２】本発明の１実施形態に係る移動装置を正面側から示す斜視図である。
【図３】前記移動装置に関して、固定支持装置と昇降支持装置を分離した状態で正面側から示す斜視図である。
【図４】前記固定支持装置を正面側から示す斜視図である。
【図５】前記固定支持装置を背面側から示す斜視図である。
【図６】前記固定装置の要部を背面側から示す斜視図である。
【図７】前記昇降支持装置を正面側から示す斜視図である。
【図８】前記昇降支持装置の要部を正面側から示す斜視図である。
【図９】前記移動装置を作業台の脚体に装着した状態を示す正面図である。
【図１０】前記移動装置の装着状態における要部を拡大して示す正面図である。
【図１１】前記移動装置の装着状態において、昇降体を上昇位置でロックした状態を示す縦断側面図である。
【図１２】前記移動装置の装着状態において、昇降体を下降位置でロックした状態を示す縦断側面図である。
【発明を実施するための形態】
【００３１】
以下図面に基づいて本発明の好ましい実施形態を詳述する。
【００３２】
［作業台及び作業台ステージ］
図１は、広域作業台を構成する作業台ステージ１の１例を示しており、該作業台ステージ１は、複数台の作業台２と、複数枚の足場板３により構築されている。
【００３３】
前記作業台２は、一対の脚体４、４に作業天板５を架設しており、脚体４、４を設置面（室外の場合は地面、室内の場合は床面）に設置することにより、作業天板５を高所で支持するように構成されている。各脚体４は、左右の脚柱６、６を相互に連結する複数本の踏み桟７を上下に間隔をあけて配置した梯子脚を構成し、脚柱６、６の下端から下向きに伸縮可能な伸縮脚６ａを備え、図示省略した係止機構を介して、伸縮脚６ａを最も収縮させた状態と、所定間隔で段階的に伸長させた伸長状態で伸縮不能に係止固定することにより、作業天板５の高さを調節可能としており、不使用時には、脚体４を作業天板５の下側に折畳み可能としている。
【００３４】
図示のように、作業台ステージ１は、間隔をあけて設置した複数の作業台２、２の作業天板５、５の間に所定枚数の足場板３を架設することにより構築され、広い面積の作業床を形成し、広域作業を可能にする。尚、作業台２の台数や、足場板３の枚数は、適宜、増減可能であり、レイアウトの変更により、所望の作業床を備えた作業台ステージ１を構築することが可能である。
【００３５】
本発明の移動装置８は、作業台ステージ１を解体することなく、構築されて設置された形態のままの状態で、設置面上を移動可能にするものであり、所望の脚体４に装着される。例えば、図１に示すように、２台の作業台２、２により作業台ステージ１を構築している場合は、合計４脚とされる脚体４に応じて４台の移動装置８を使用し、全ての脚体４に移動装置８を装着することが好ましいが、３台以上の多数の作業台２により作業台ステージ１を構築している場合は、ステージの４隅に位置する４脚の脚体４にだけ移動装置８を装着しても良く、要するに、作業台ステージ１を全体として移動可能とするような装着態様を選択すれば良い。
【００３６】
尚、本発明の移動装置８は、作業台ステージ以外にも、例えば、作業台２が大型等で移動困難な場合、該作業台２の脚体４に装着し、単体としての作業台２を移動するために使用することも可能である。
【００３７】
［移動装置の全体的構成］
図２及び図３に示すように、移動装置８は、前記作業台２の脚体４を固定状態で支持する固定支持装置９と、該固定支持装置９に連結手段１０を介して連結された昇降支持装置１１により構成されている。
【００３８】
［固定支持装置］
前記固定支持装置９は、上下方向に延びる左右一対の固定支柱１２、１２と、該固定支柱１２、１２を横方向に連結する上部フレーム１３と下部フレーム１４により、剛体化された枠組を構成している。
【００３９】
［把持手段］
前記上部フレーム１３は、角パイプにより形成された保持部材１５を構成しており、その両端に位置して前記脚体４の脚柱６、６を内側から掴むための一対の把持手段１６、１６を設けている。図４ないし図６に示すように、把持手段１６、１６は、それぞれ前記脚柱６を抱持可能とするＵ形ないしコ形に折曲形成された抱持具１７に角パイプから成る伸縮管１８を固着しており、伸縮管１８を前記保持部材１５に摺動自在に内嵌している。これにより、把持手段１６は、保持部材１５の両端から脚柱６、６に向けて伸縮自在に構成されている。
【００４０】
前記保持部材１５と伸縮管１７の相互には、把持手段１６を所定伸縮位置で係脱自在に係止する係止手段１９が設けられている。図４ないし図６に示すように、係止手段１９は、保持部材１５の背面に設けたブラケット２０に上下動自在に支持された係止用ロッド２２と、前記伸縮管１８の上面に長手方向に間隔をあけて設けられた係止孔２３により構成されている。前記係止用ロッド２２は、スプリング等の付勢手段２１により下向きに弾発付勢されており、常時は、該係止用ロッド２２の上部に折曲形成した摘み部２２ｂを介して下向きに延設された係止端部２２ａを保持部材１５の上面の孔から内部に向けて進入させ、前記係止孔２３に挿入している。
【００４１】
そこで、実線で示すように、伸縮管１７を収縮させて保持部材１５に格納したとき、係止端部２２ａが所定の係止孔２３に挿入係止することにより、把持手段１６を伸縮不能に固定する。鎖線で示すように、摘み部２２ｂを摘んで係止用ロッド２２を付勢手段２１に抗して引き上げると、係止端部２２ａが前記係止孔２３から脱することにより、伸縮管１７を伸長可能とし、把持手段１６を伸長させることにより、後述するように抱持具１７が脚柱６を抱持したとき（図１０参照）、係止端部２２ａが別の所定の係止孔２３に挿入され、把持手段１６を伸縮不能に固定する。
【００４２】
この際、前記係止孔２３は、伸縮管１８の長手方向に間隔をあけて複数個が列設されており、これにより、作業台２が大小異なるサイズのものとされ、脚柱６、６の間隔寸法が相違する場合でも、選択した係止孔２３に係止用ロッド２２を係止することにより、抱持具１７による脚柱６の抱持が可能となるように構成されている。
【００４３】
［支持手段］
前記下部フレーム１４は、脚体４の所定の踏み桟７の下面に添設可能な支持手段２４を構成しており、所定の踏み桟７を下側から抱持する支承部材２５と、外れ止め手段２６を備えている。
【００４４】
図４ないし図６に示すように、前記支承部材２５は、脚体４の所定の踏み桟７の下面及び正背面を抱持可能とするように、断面上向き溝形とした板部材により形成されている（図１１参照）。前記外れ止め手段２６は、固定支柱１２に背面側から挿通して支承部材２５の上方空間に向けて挿出する係止端部２７ａを有する外れ止め用ロッド２７により構成されている。外れ止め用ロッド２７は、前記係止端部２７ａから固定支柱１２の背面に沿うように折曲された摘み部２７ｂと、固定支柱１２に背面側から挿通して貫通して支承部材２５の下方空間に向けて挿出する基端部２７ｃを備え、該基端部２７ｃにスプリング等の付勢手段２８を設け、常時は、前記係止端部２７ａが支承部材２５の上方に進出するように構成している。
【００４５】
そこで、鎖線で示すように、摘み部２７ｂを摘んで外れ止め用ロッド２７を付勢手段２８に抗して固定支柱１２の背面方向に引くと、係止端部２７ａが後退することにより支承部材２５の上方空間が開放されるので、該支承部材２５に脚体４の所定の踏み桟７を嵌入することが可能となる。支承部材２５により踏み桟７を下側から抱持した状態で、係止端部２７ａを進出させると、該係止端部２７ａが前記踏み桟７の上部を拘束し、外れ止め手段２６として機能する。
【００４６】
［昇降支持装置］
前記昇降支持装置１１は、前記連結手段１０に固定された固定体２９と、該固定体２９に対して昇降可能に結合された昇降体３０を備え、前記昇降体３０の下端部にキャスター３１を設けると共に、前記固定体２９と前記昇降体３０の相互に係脱自在なロック手段３２を設けている。
【００４７】
前記連結手段１０は、前記一対の固定支柱１２、１２から背面方向に突設されたアーム３３、３３により構成され、前記固定体２９は、前記アーム３３、３３にそれぞれ固着された上下方向に延びる角パイプ等の筒部材３４、３４により構成されており、一対の筒部材３４、３４は、横架材３５により連結されている。
【００４８】
前記昇降体３０は、前記筒部材３４、３４にそれぞれ上下方向に摺動自在に嵌入された一対のスライド支柱３６、３６により構成されており、一対のスライド支柱３６、３６の下端を連結する固着板３７を設けている。該固着板３７の両端部に位置して、上向きに突出する連結ピン３８、３８が設けられると共に、キャスター３１、３１の縦軸３９、３９が挿着され、キャスター３１、３１を固着板３７の下側に垂設している。尚、キャスター３１は、車輪を回転走行不能に制動可能とする制動手段４０を備えることが好ましい。
【００４９】
前記スライド支柱３６、３６は、上端部を前記筒部材３４、３４の下方から挿通することにより摺動自在に組付けられており、前記固着板３７とキャスター３１、３１を含む昇降体３０の全重量により錘手段４１を形成し、自重で下降するように構成されている。このため、前記筒部材３４、３４に挿通されたスライド支柱３６、３６の上端部に横向きに突出するストッパ４２を設け、筒部材３４、３４の両側壁の上縁に前記ストッパ４２を受止め可能とする切欠き４３を形成し、スライド支柱３６、３６が自重で下降したときの抜止め手段を構成することが好ましい。
【００５０】
［ロック手段］
図７及び図８に示すように、前記ロック手段３２は、前記スライド支柱３６、３６の側壁に上下方向に間隔をあけて列設されたロック孔４４と、前記固定体２９から特定のロック孔４４に挿入されるロック用ロッド４５により構成されている。
【００５１】
前記ロック用ロッド４５は、図８に示すように、前記横架材３５の下面に固着された門形のブラケット４６に挿通され、前記筒部材３４に設けた通孔４７に挿通されるロック端部４５ａを備えている。ロック用ロッド４５は、スプリング等の付勢手段４８により、常時は、ロック端部４５ａを前記ロック孔４４に挿入するように弾発付勢され、前記ブラケット４６から挿出する尾端部をＬ形に折曲することにより摘み部４５ｂを設けている。このように、ロック用ロッド４５は、横架材３５の下側に配置されているので、上方から降り落ちる異物が付着することにより作動不良を起こすことがない。
【００５２】
そこで、摘み部４５ｂを摘んでロック用ロッド４５を付勢手段４８に抗して筒部材３４から離反する方向に引くと、ロック端部４５ａがロック孔４４から脱出することによりロック手段３２のロックを解除し、スライド支柱３６を昇降可能とする。前記筒部材３４の通孔４７とスライド支柱３６の特定のロック孔４４が合致した状態で、ロック端部４５ａを進出させると、該ロック端部４５ａが前記ロック孔４４に挿入されることによりロック手段３２をロックし、スライド支柱３６を昇降不能とする。
【００５３】
本発明の移動装置８は、装着対象としての作業台２の脚体４と、該脚体４に固定された状態の固定支持装置９の上下方向位置と、前記固定支持装置９に連結手段１０を介して連結固定された昇降支持装置１１における昇降体３０の上下方向位置、つまり、前記ロック孔４４とロック端部４５ａによるロック手段３２のロック位置に関して、次の条件が成立するように構成されている。
【００５４】
設置面ＧＬに設置された作業台２の脚体４に固定支持装置９を装着した状態で、図１１に示すように、キャスター３１が脚体４の下端４Ｅよりも上方に格納される上昇位置Ｈに位置するようにスライド支柱３６を上昇させたとき、前記ロック孔４４には、前記ロック端部４５ａを挿入させてロックする格納用ロック孔４４Ｈが含まれている。また、図１２に示すように、脚体４を持ち上げて下端４Ｅを設置面ＧＬから浮上させ、キャスター３１が脚体４の下端４Ｅよりも下方に突出する下降位置Ｌに位置するようにスライド支柱３６を下降させたとき、前記ロック孔４４には、前記ロック端部４５ａを挿入させてロックする突出用ロック孔４４Ｌが含まれている。
【００５５】
前記ロック手段３２は、移動装置８を大きさ寸法が相違する異種の脚体４に装着した場合でも上記条件を成立させる格納用ロック孔４４Ｈと突出用ロック孔４４Ｌが含まれるように、多数のロック孔４４をスライド支柱３６の長手方向に配列している。
【００５６】
前記ロック孔４４とロック用ロッド４５によるスライド支柱３６のロック位置は、脚体４の伸縮脚６ａを最も収縮させた状態と、段階的に伸長させた状態の何れにおいても、上記の条件が成立するように構成されている。
従って、作業台ステージ１を構築した直後の作業台２が伸縮脚６ａを最も収縮させた状態としている場合、移動装置８は、作業台２の脚体４の下端４Ｅを設置面ＧＬに接地させたまま、キャスター３１を上昇位置Ｈに格納させロックした状態で、固定支持装置９を脚体４に簡単かつ安全に装着することができる。
【００５７】
そして、作業台ステージ１の移動に際しては、昇降支持装置１１が筒部材３４とスライド支柱３６の１組を左右に配置する構成とされ、作業台２の各脚体４を安定して支持することが可能であり、このようにスライド支柱３６、３６を左右に配置した構成において、ロック手段３２を構成するロック用ロッド４５、４５は、摘み部４５ｂ、４５ｂの相互間隔を作業者が片手で同時に引き寄せ可能な距離Ｓの範囲に設定されているので、これにより、左右一対のスライド支柱３６、３６のロックをワンタッチで同時に解除し、脚体４を持ち上げれば、スライド支柱３６、３６が同時に下降する。従って、左右のスライド支柱３６が下降タイミングにズレを生じて筒部材３４に対して偏位し、自重によるスムースな下降を妨げられるようなことはない。
【００５８】
尚、図示実施形態の場合、前記ロック手段３２は、固定支持装置９の支持手段２４を最下段の踏み桟７に添設した状態で、前記条件が成立するようにロック孔４４の配列を構成しているが、前記支持手段２４を上段の踏み桟７に添設するように構成し、その状態で前記条件が成立するように構成しても良い。
【００５９】
［使用方法と作用］
上記移動装置８を作業台２の脚体４に装着する場合、図１１に示すように、ロック用ロッド４５のロック端部４５ａは、スライド支柱３６のロック孔４４のうち、格納用ロック孔４４Ｈに挿入され、スライド支柱３６を昇降不能にロックしている。
【００６０】
そこで、作業者は、移動装置８を脚体４の内側に臨ませ、固定支持装置９を脚体４に装着する。この際、支持手段２４を踏み桟７に添設する作業は、外れ止め用ロッド２７を引いて係止端部２７ａを後退させることにより上方空間を開放した支承部材２５を踏み桟７の下側から外嵌させ、その後、付勢手段２８を介して係止端部２７ａを前進させ、踏み桟７の上部に係止することにより、簡単に行うことができる。
【００６１】
また、把持手段１６、１６により脚柱６、６を把持する作業は、係止用ロッド２２を引き上げて係止端部２７ａを後退させることにより係止孔２３から脱出させた状態で、把持手段１６を保持部材１５から伸長させ、抱持具１７を脚柱６に外嵌させ、その後、付勢手段２１により下降する係止端部２７ａを係止孔２３に挿入させ、把持手段１６を伸縮不能に係止することにより簡単に行うことができる。
【００６２】
このように固定支持装置９を脚体４に装着する作業は、作業台２の脚体４が伸縮脚６ａを最も収縮させた状態と、段階的に伸長させた状態の何れの場合においても、脚体４を設置面ＧＬに設置させたままの状態で行うことができるので、作業者が一人で簡単容易に行うことができ、しかも、危険を伴うことはない。
【００６３】
固定支持装置９を脚体４に装着した状態で、上述のようにロック手段３２は、格納用ロック孔４４Ｈを選択することによりロックしているので、昇降支持装置１１は、キャスター３１を脚体４の下端４Ｅよりも上方に格納した上昇位置Ｈに保持している。つまり、作業台２は、脚体４が設置面ＧＬに接地されているので、移動装置８を装着した状態でも、作業台２で高所作業を安全に行うことが可能である。
【００６４】
作業台２を含む作業台ステージ１を設置面ＧＬに沿って移動する場合は、ロック用ロッド４５を引いてロック端部４５ａを格納用ロック孔４４Ｈから脱出させると、昇降自在とされたスライド支柱３６が昇降体３０の自重で下降し、キャスター３１を設置面ＧＬに接地する。そこで、図１２に示すように、脚体４を設置面ＧＬから持ち上げると、脚体４に追従して固定支持装置９と共に固定体２９が持ち上げられる。この際、スライド支柱３６及びキャスター３１を含む昇降体３０は、キャスター３１を設置面ＧＬに接地した状態で、持ち上げられた固定体２９に対して相対的に下降し、キャスター３１を脚体４の下端４Ｅよりも下方に突出する下降位置Ｌに位置させるので、ロック端部４５ａが対応する突出用ロック孔４４Ｌに挿入されロックされる。これにより、移動装置８は、作業台２を持ち上げると共に、キャスター３１を設置面ＧＬに接地しているので、該キャスター３１の転動により、設置面ＧＬに沿って好適に走行する。
【００６５】
上述のように作業台ステージ１を構成する複数台の作業台２の脚体４に対して複数の移動装置８を装着し、作業台ステージ１の全体を移動させる場合は、複数の移動装置８を相互に同行状態で走行させることにより複数の脚体４の間隔の変動を防止することが好ましく、この場合、昇降支持装置１１の固着板３７に設けた連結ピン３８を利用し、離隔配置された移動装置８、８の相互に掛け渡したロッドやバー等に設けた孔やフックを前記連結ピン３８に係止させれば良い。
【００６６】
移動作業を終え、再び作業台ステージ１による高所作業を行う場合は、ロック用ロッド４５を引いてロック端部４５ａを突出用ロック孔４４Ｌから脱出させると、作業台２の降下と共に脚体４が設置面ＧＬに接地するので、その後、昇降支持装置１１を上昇させ、キャスター３１を上昇位置Ｈに位置させた状態で、ロック端部４５ａを格納用ロック孔４４Ｈに挿入させロックすれば良い。
【符号の説明】
【００６７】
１  作業台ステージ
２  作業台
３  足場板
４  脚体
５  作業天板
６  脚柱
６ａ  伸縮脚
７  踏み桟
８  移動装置
９  固定支持装置
１０  連結手段
１１  昇降支持装置
１２  固定支柱
１３  上部フレーム
１４  下部フレーム
１５  保持部材
１６  把持手段
１７  抱持具
１８  伸縮管
１９  係止手段
２０  ブラケット
２１  付勢手段
２２  係止用ロッド
２２ａ  係止端部
２２ｂ  摘み部
２３  係止孔
２４  支持手段
２５  支承部材
２６  外れ止め手段
２７  外れ止め用ロッド
２７ａ  係止端部
２７ｂ  摘み部
２７ｃ  基端部
２８  付勢手段
２９  固定体
３０  昇降体
３１  キャスター
３２  ロック手段
３３  アーム
３４  筒部材
３５  横架材
３６  スライド支柱
３７  固着板
３８  連結ピン
３９  縦軸
４０  制動手段
４１  錘手段
４２  ストッパ
４３  切欠き
４４  ロック孔
４４Ｈ  格納用ロック孔
４４Ｌ  突出用ロック孔
４５  ロック用ロッド
４５ａ  ロック端部
４５ｂ  摘み部
４６  ブラケット
４７  通孔
４８  付勢手段
【図１】
2014095219.tif 000003
【図２】
2014095219.tif 000004
【図３】
2014095219.tif 000005
【図４】
2014095219.tif 000006
【図５】
2014095219.tif 000007
【図６】
2014095219.tif 000008
【図７】
2014095219.tif 000009
【図８】
2014095219.tif 000010
【図９】
2014095219.tif 000011
【図１０】
2014095219.tif 000012
【図１１】
2014095219.tif 000013
【図１２】
2014095219.tif 000014